(57)【要約】  コンピュータのスロットに挿入したときに接続するコネクタと、スロットにコンピュータカードを挿入したときにこれと接続するコネクタを備えるアダプタ装置において、アンテナを設け、このアンテナがスロットの開口を覆う第１の位置と、スロットの開口から厚み方向に変位した第２の位置の２つの位置をとりえるように、筐体とアンテナとを結合する結合機構を設けた。【特許請求の範囲】
【請求項１】
カード状の筐体を有し、コンピュータのカードスロットに挿入して使用するコンピュータカードのアダプタ装置であって、該アダプタ装置は、
前記筐体の前記カードスロットの挿入方向端部に設けられ、前記コンピュータとインタフェースするための第１のコネクタと、
前記筐体の前記挿入方向とは反対方向の端部に設けられ、コンピュータカードを挿入するための開口を有するスロットと、
該スロットの前記挿入方向端部となる前記筐体端部に設けられ、前記コンピュータカードとインタフェースするための第２のコネクタと、
前記筐体の前記挿入方向とは反対方向の端部近傍に設けられたアンテナとを備えたことを特徴とするコンピュータカードのアダプタ装置。
【請求項２】
カード状の筐体を有し、コンピュータのカードスロットに挿入して使用するコンピュータカードのアダプタ装置であって、該アダプタ装置は、
前記筐体の前記カードスロットの挿入方向端部に設けられ、前記コンピュータとインタフェースするための第１のコネクタと、
前記筐体の前記の挿入方向とは反対方向の端部に設けられ、コンピュータカードを挿入するための開口を有するスロットと、
該スロットの前記挿入方向端部となる前記筐体端部に設けられ、前記コンピュータカードとインタフェースするための第２のコネクタと、
前記筐体の前記挿入方向とは反対方向の端部近傍に設けられたアンテナと、
該アンテナが、少なくとも、前記スロットの開口を略覆う第１の位置と、前記スロットの開口から該アダプタ装置の厚み方向に変位した第２の位置の２つの位置をとりえるように、前記筐体と前記アンテナとを結合する結合機構とを備えたことを特徴とするコンピュータカードのアダプタ装置。
【請求項３】
カード状の筐体を有し、コンピュータのカードスロットに挿入して使用するコンピュータカードのアダプタ装置であって、該アダプタ装置は、
前記筐体の前記カードスロットの挿入方向端部に設けられ、前記コンピュータとインタフェースするための第１のコネクタと、
前記筐体の前記の挿入方向とは反対方向の端部に設けられ、コンピュータカードを挿入するための開口を有するスロットと、
該スロットの前記挿入方向端部となる前記筐体端部に設けられ、前記コンピュータカードとインタフェースするための第２のコネクタと、
棒状のアンテナ本体部と、該アンテナ本体部の一方の端から前記アンテナ本体部とともに略Ｌ字をなすように延在する基部とを備えたアンテナと、
該アンテナが、少なくとも、前記スロットの開口を覆うように該アンテナの長手方向の軸が前記開口の長手方向の中心軸と略平行にかつ近接して配置された第１の位置と、該アンテナの長手方向の軸が該アダプタ装置の厚み方向に前記第１の位置から平行に変位した第２の位置の２つの位置をとりえるように、前記アンテナの基部と前記筐体の前記挿入方向とは反対方向の端部近傍に設けられた回動可能な結合機構とを備えたことを特徴とするコンピュータカードのアダプタ装置。
【請求項４】
カード状の筐体を有し、コンピュータのカードスロットに挿入して使用するコンピュータカードのアダプタ装置であって、該アダプタ装置は、
前記筐体の前記カードスロットの挿入方向端部に設けられ、前記コンピュータとインタフェースするための第１のコネクタと、
前記筐体の前記の挿入方向とは反対方向の端部に設けられ、コンピュータカードを挿入するための開口を有するスロットと、
該スロットの前記挿入方向端部となる前記筐体端部に設けられ、前記コンピュータカードとインタフェースするための第２のコネクタと、
棒状のアンテナ本体部と、該アンテナ本体部の両端から前記アンテナ本体部とともに略Ｌ字をなすように延在する基部とを備えたアンテナと、
該アンテナが、少なくとも、前記スロットの開口を覆うように該アンテナの長手方向の軸が前記開口の長手方向の中心軸と略平行にかつ近接して配置された第１の位置と、該アンテナの長手方向の軸が該アダプタ装置の厚み方向に前記第１の位置から平行に変位した第２の位置の２つの位置をとりえるように、前記アンテナの基部と前記筐体の前記挿入方向とは反対方向の端部近傍に設けられた回動可能な結合機構とを備えたことを特徴とするコンピュータカードのアダプタ装置。
【請求項５】
前記結合機構は、前記アンテナの基部に設けられた第１の部位と、
前記筐体に設けられた第２の部位とからなり、
該第１の部位と第２の部位の回動軸は前記開口の長手方向の軸に略平行に配置されていることを特徴とする請求項３および請求項４記載のコンピュータカードのアダプタ装置。
【請求項６】
カード状の筐体を有し、コンピュータのカードスロットに挿入して使用するコンピュータカードのアダプタ装置であって、該アダプタ装置は、
前記筐体の前記カードスロットの挿入方向端部に設けられ、前記コンピュータとインタフェースするための第１のコネクタと、
前記筐体の前記の挿入方向とは反対方向の端部に設けられ、コンピュータカードを挿入するための開口を有するスロットと、
該スロットの前記挿入方向端部となる前記筐体端部に設けられ、前記コンピュータカードとインタフェースするための第２のコネクタと、
棒状のアンテナ本体部と、該アンテナ本体部の一方の端において第１の回動軸まわりに回動可能に結合され、一の状態において前記アンテナ本体部とともに略Ｌ字をなすように延在する基部とを備えたアンテナと、
該アンテナが、少なくとも、前記スロットの開口を覆うように該アンテナの長手方向の軸が前記開口の長手方向の中心軸と略平行にかつ近接して配置された第１の位置と、該アンテナの長手方向の軸が該アダプタ装置の厚み方向に前記第１の位置から平行に変位した第２の位置の２つの位置をとりえるように、前記アンテナの基部に設けられた第１の部位と、前記筐体の前記挿入方向とは反対方向の端部近傍に設けられた第２の部位とを備え、該第１の部位と第２の部位とが結合される第２の回動軸が前記開口の長手方向の軸に略平行に配置された回動可能な結合機構とを備えたことを特徴とするコンピュータカードのアダプタ装置。
【請求項７】
前記結合機構は、さらに前記挿入方向に略平行に配置された回動軸を有することを特徴とする請求項６記載のコンピュータカードのアダプタ装置。
【請求項８】
前記筐体内に配置され、前記アンテナに接続された無線通信回路を備えたことを特徴とする請求項１ないし請求項７のいずれか１項に記載されたコンピュータカードのアダプタ装置。
【請求項９】
前記スロットに挿入可能なコンピュータカードを請求項１ないし請求項８のいずれか１項に記載されたコンピュータカードのアダプタ装置の前記スロットに挿入してなることを特徴とするコンピュータカードシステム。
【請求項１０】
前記コンピュータカードは無線通信回路を備えていることを特徴とする請求項９記載のコンピュータカードシステム。
【請求項１１】
前記コンピュータカードシステムを備えていることを特徴とする請求項１０記載の情報処理システム。
【発明の詳細な説明】
【技術分野】
【０００１】
本発明はコンピュータのカードスロットに、異なる規格のコンピュータカードを適合させるためのアダプタ装置に関し、特に無線通信回路を内蔵しアンテナを備えたアダプタ装置に関する。
【背景技術】
【０００２】
従来、特開平８−２７９０２７号公報（特許文献１）に記載のように、アンテナを収納可能に設けることによって携帯性を損なうことなく無線通信を行うことができる無線通信カードが開示されている。【０００３】
また、特開２０００−１２２７６３号公報（特許文献２）に記載のように、小型のＰＣカードを大型のカードスロットに装着できるようにしたＰＣカードアダプタが開示されている。
【特許文献１】特開８−２７９０２７号公報
【特許文献２】特開２０００−１２２７６３号公報  さらに、特許文献２で開示されているようなＰＣカードアダプタ自体に無線通信回路とアンテナを搭載したＰＣカードアダプタも提供されている。このようなＰＣカードアダプタを図９に示す。このＰＣカードアダプタ１００は例えばコンパクトフラッシュ（登録商標：以後省略する）規格のカードをＰＣカード規格のコンピュータスロットに挿入できるようにするためのもので、一端にＰＣカード規格のコネクタ１０１と、他端にコンパクトフラッシュ規格のカードを挿入するためのスロット１０２とコネクタ１０３とが設けられている。またアンテナ１０５は、スロット１０２の開口部１０６の上に設けられる。
【０００４】
さて、図９に示した従来のＰＣカードアダプタ１００では、コンパクトフラッシュ規格のＰＣカードは開口部１０６から挿入される。一方、アンテナ１０５はＰＣカードの挿入を妨げない位置に設けなければならないため、図に示すようにＰＣカードの開口部１０６を避け、厚み方向にずらした位置に設けられる。しかしながら、このようなアンテナ構成はカードアダプタ１００の一部分の厚みが大きく増えるため、携帯性が損なわれるという課題があった。
【発明の開示】
【０００５】
本発明は、従来のアダプタ装置の有する前記課題を解決するためになされたものであって、携帯性を損なうことがないよう所定の位置にアンテナを配置することができるとともに、ＰＣカードの挿入、取り外しにおいても操作性を損なうことのないコンピュータカードのアダプタ装置、またそれを用いたコンピュータカードシステムを提供することを目的としている。
【０００６】
上記課題を解決するために本発明によるコンピュータカードのアダプタ装置は、カード状の筐体を有し、コンピュータのカードスロットに挿入して使用するコンピュータカードのアダプタ装置であって、該アダプタ装置は、前記筐体の前記カードスロットの挿入方向端部に設けられ、前記コンピュータとインタフェースするための第１のコネクタと、前記筐体の前記挿入方向とは反対方向の端部に設けられ、コンピュータカードを挿入するための開口を有するスロットと、該スロットの前記挿入方向端部となる前記筐体端部に設けられ、前記コンピュータカードとインタフェースするための第２のコネクタと、前記筐体の前記挿入方向とは反対方向の端部近傍に設けられたアンテナとを備えたことを特徴とする。
【０００７】
また、本発明によるコンピュータカードのアダプタ装置は、カード状の筐体を有し、コンピュータのカードスロットに挿入して使用するコンピュータカードのアダプタ装置であって、該アダプタ装置は、前記筐体の前記カードスロットの挿入方向端部に設けられ、前記コンピュータとインタフェースするための第１のコネクタと、  前記筐体の前記の挿入方向とは反対方向の端部に設けられ、コンピュータカードを挿入するための開口を有するスロットと、該スロットの前記挿入方向端部となる前記筐体端部に設けられ、前記コンピュータカードとインタフェースするための第２のコネクタと、前記筐体の前記挿入方向とは反対方向の端部近傍に設けられたアンテナと、該アンテナが、少なくとも、前記スロットの開口を略覆う第１の位置と、前記スロットの開口から該アダプタ装置の厚み方向に変位した第２の位置の２つの位置をとりえるように、前記筐体と前記アンテナとを結合する結合機構とを備えたことを特徴とする。
【０００８】
また、本発明によるコンピュータカードのアダプタ装置は、カード状の筐体を有し、コンピュータのカードスロットに挿入して使用するコンピュータカードのアダプタ装置であって、該アダプタ装置は、前記筐体の前記カードスロットの挿入方向端部に設けられ、前記コンピュータとインタフェースするための第１のコネクタと、  前記筐体の前記の挿入方向とは反対方向の端部に設けられ、コンピュータカードを挿入するための開口を有するスロットと、該スロットの前記挿入方向端部となる前記筐体端部に設けられ、前記コンピュータカードとインタフェースするための第２のコネクタと、棒状のアンテナ本体部と、該アンテナ本体部の一方の端から前記アンテナ本体部とともに略Ｌ字をなすように延在する基部とを備えたアンテナと、  該アンテナが、少なくとも、前記スロットの開口を覆うように該アンテナの長手方向の軸が前記開口の長手方向の中心軸と略平行にかつ近接して配置された第１の位置と、該アンテナの長手方向の軸が該アダプタ装置の厚み方向に前記第１の位置から平行に変位した第２の位置の２つの位置をとりえるように、前記アンテナの基部と前記筐体の前記挿入方向とは反対方向の端部近傍に設けられた回動可能な結合機構とを備えたことを特徴とする。
【０００９】
また、本発明によるコンピュータカードのアダプタ装置は、カード状の筐体を有し、コンピュータのカードスロットに挿入して使用するコンピュータカードのアダプタ装置であって、該アダプタ装置は、前記筐体の前記カードスロットの挿入方向端部に設けられ、前記コンピュータとインタフェースするための第１のコネクタと、  前記筐体の前記の挿入方向とは反対方向の端部に設けられ、コンピュータカードを挿入するための開口を有するスロットと、該スロットの前記挿入方向端部となる前記筐体端部に設けられ、前記コンピュータカードとインタフェースするための第２のコネクタと、棒状のアンテナ本体部と、該アンテナ本体部の両端から前記アンテナ本体部とともに略Ｌ字をなすように延在する基部とを備えたアンテナと、該アンテナが、少なくとも、前記スロットの開口を覆うように該アンテナの長手方向の軸が前記開口の長手方向の中心軸と略平行にかつ近接して配置された第１の位置と、該アンテナの長手方向の軸が該アダプタ装置の厚み方向に前記第１の位置から平行に変位した第２の位置の２つの位置をとりえるように、前記アンテナの基部と前記筐体の前記挿入方向とは反対方向の端部近傍に設けられた回動可能な結合機構とを備えたことを特徴とする。
【００１０】
このコンピュータカードのアダプタ装置においては、前記結合機構を前記アンテナの基部に設けられた第１の部位と、前記筐体に設けられた第２の部位とによって構成し、第１の部位と第２の部位の回動軸を前記開口の長手方向の軸に略平行に配置するようにしてもよい。
【００１１】
また、本発明によるコンピュータカードのアダプタ装置は、カード状の筐体を有し、コンピュータのカードスロットに挿入して使用するコンピュータカードのアダプタ装置であって、該アダプタ装置は、前記筐体の前記カードスロットの挿入方向端部に設けられ、前記コンピュータとインタフェースするための第１のコネクタと、  前記筐体の前記の挿入方向とは反対方向の端部に設けられ、コンピュータカードを挿入するための開口を有するスロットと、該スロットの前記挿入方向端部となる前記筐体端部に設けられ、前記コンピュータカードとインタフェースするための第２のコネクタと、棒状のアンテナ本体部と、該アンテナ本体部の一方の端において第１の回動軸まわりに回動可能に結合され、一の状態において前記アンテナ本体部とともに略Ｌ字をなすように延在する基部とを備えたアンテナと、該アンテナが、少なくとも、前記スロットの開口を覆うように該アンテナの長手方向の軸が前記開口の長手方向の中心軸と略平行にかつ近接して配置された第１の位置と、該アンテナの長手方向の軸が該アダプタ装置の厚み方向に前記第１の位置から平行に変位した第２の位置の２つの位置をとりえるように、前記アンテナの基部に設けられた第１の部位と、前記筐体の前記挿入方向とは反対方向の端部近傍に設けられた第２の部位とを備え、該第１の部位と第２の部位とが結合される第２の回動軸が前記開口の長手方向の軸に略平行に配置された回動可能な結合機構とを備えたことを特徴とする。
【００１２】
このコンピュータカードのアダプタ装置においては、前記結合機構に、さらに前記挿入方向に略平行に配置された回動軸を設けてもよい。
【００１３】
以上に示したコンピュータカードのアダプタ装置には、前記筐体内に前記アンテナに接続された無線通信回路を備えてもよい。
【００１４】
また以上に示したコンピュータカードのアダプタ装置のスロットに挿入可能なコンピュータカードを、このアダプタ装置のスロットに挿入してコンピュータカードシステムを構成することができる。
【００１５】
またこのとき無線通信回路を備えたコンピュータカードをスロットに挿入することによってコンピュータカードシステムを構成するようにしてもよい。
【図面の簡単な説明】
【００１６】
【図１】本発明によるアダプタ装置の平面図である。
【図２】本発明によるアダプタ装置の側面図である。
【図３】本発明によるアダプタ装置を構成するアンテナの平面図および側面図である。
【図４】本発明によるアダプタ装置のアンテナと腕部との結合説明図である。
【図５】本発明によるアダプタ装置の斜視図である。
【図６】本発明によるコンピュータカードシステムの平面図である。
【図７】本発明によるアダプタ装置のブロック図である。
【図８】本発明によるコンピュータカードシステムを構成するＰＨＳ無線データ通信装置のブロック図である。
【図９】従来のアダプタ装置の平面図である。
【図１０】本発明によるアダプタ装置をより詳細に示す斜視図である。
【図１１】本発明によるアダプタ装置の平面図である。
【図１２】本発明によるアダプタ装置の側面図である。
【図１３】本発明によるアダプタ装置のアンテナ支持部のＡ−Ａ断面図である。
【図１４】本発明によるアダプタ装置のアンテナ支持部のＢ−Ｂ断面図である。
【図１５】本発明によるアダプタ装置のアンテナ支持部の分解斜視図である。
【図１６】本発明によるアダプタ装置の導通端子と回路基板との接続説明図である。
【図１７】本発明によるアダプタ装置の他の実施例の斜視図である。
【図１８】本発明によるアダプタ装置の他の実施例の側面図である。
【図１９】本発明によるアダプタ装置の他の実施例の分解斜視図である。
【発明を実施するための最良の形態】
【００１７】
図１は本発明によるアダプタ装置の平面図、図２は同側面図である。【００１８】
図１のようにアダプタ装置１は平板状の筐体１０を有し、本体部１１から二つの腕部１２及び１３をコの字状に配置した形状となっている。【００１９】
本体部１１と二つの腕部１２及び１３で構成される空間がコンパクトフラッシュ規格のＰＣカードを挿入するためのスロット１４を構成する。矢印ｙ方向がＰＣカードの挿入方向で、腕部１２及び１３のスロット１４を構成する面１２ａ及び１３ａにはレール状の凹凸が形成されており、図示していないＰＣカードの側面に形成された凹凸とはまり合うことによってＰＣカードを支持しつつ矢印ｙ方向にＰＣカードをスライドできるように構成されている。スロット１４を構成する本体部１１の面１１ａにはＰＣカードと電気的に接続するためのコネクタ１５が設けられている。ＰＣカードにはこのコネクタ１５と結合するコネクタが設けられている。なお、１７はＰＣカードがスロット１４に挿入されていないときにコネクタ１５を保護するためのカバーであり、ＰＣカードを挿入すると同時にｙ方向に移動し、このときコネクタ１５の接続端子が露出しＰＣカード側のコネクタと接続するようになっている。【００２０】
矢印Ｙ方向は、アダプタ装置１を図示していないコンピュータのスロットに挿入する方向である。本体部１１の矢印Ｙ方向の端部１１ｂにはコンピュータと電気的に接続するためのコネクタ１６が設けられている。コンピュータのスロットにはこのコネクタ１６と結合するコネクタが設けられている。【００２１】
概略以上のように構成されたアダプタ装置１は、その外観形状がＰＣカード規格で定められており、幅Ｗ１すなわち矢印Ｘ方向の長さは５４ｍｍ、図２に示すように厚みＴすなわち矢印Ｚ方向の長さは５ｍｍとなっている。スロット１４の形状もＰＣカード規格とコンパクトフラッシュ規格によって定められており幅Ｗ２は４２．８ｍｍとなっている。なお、腕部１２及び１３のｙ方向の長さは設計によって定められる。【００２２】
前記腕部１２の矢印ｙ方向とは逆の端部１２ｂにはアンテナ２が設けられている。【００２３】
端部１２ｂとアンテナ２との結合構造の詳細を図３に示す。図３（ａ）は平面図、図３（ｂ）は側面図である。アンテナ２はアンテナ本体２１と基部２２とから成り、両者は回動軸２３回りに図中方向Ａに回動自在に結合されている。アンテナ本体２１と基部２２は図のように略Ｌ字形状の姿勢を取り得る。基部２２の回動軸２３とは離れた方向の位置にはＸ方向に軸穴２７が設けられている。図では前記回動軸２３は軸穴２７と直交する方向に配置されている。基部２２には回動軸２３と軸穴２７の間に回動部２８が設けられる。回動部２８は基部２２の軸回りの方向Ｂに回転する構成となっている。【００２４】
一方腕部１２の端部１２ｂには軸穴２５が設けられ、ピンからなる回動軸２４がこの軸穴２５、および基部２２の軸穴２７にはまり合うことによって、基部２２が図中方向Ｃに示すように回動軸２４回りに回動可能に結合される。【００２５】
図1のアダプタ装置１の腕部１３の端部１３ｂにはアンテナ本体２１の前記回動軸２３と反対方向端部２６を受けるための格納溝１３ｃが設けられている。【００２６】
アンテナ２と腕部１２とが結合された平面図を図４に示す。基部２２の回動軸２４は図４に示すように、端部１２ｂの軸穴２５に回動可能に結合される。【００２７】
またアンテナ２と腕部１２とが結合された斜視図を図５に示す。アンテナ２は本体１１内に設けられる電子回路と電気的に接続されると共に、図５に示すように使用者が受信に適した位置に回動可能となる。【００２８】
図１の平面図では、アンテナ２の格納状態を示している。この状態では図２の側面図に示すように、アンテナ本体２１は本体部１１の厚みＴ内にほぼ収まるようになる。アンテナ本体の端部２６は腕部１３の格納溝１３ｃに収まり容易には動かないように固定される。【００２９】
アンテナ２は直交する２軸２３、２４によって腕部１２と結合されているので、自由な位置を取り得る。まず、アンテナ本体２１を回動軸２３回りＡａ方向に回動させると、アンテナ本体２１の端部２６を格納溝１３ｃからはずすことができる。この状態でアンテナ本体２１を回動軸２４回りにＣｃ方向に回動させることにより、図２の格納位置Ｐ１から位置Ｐ２まで移動させることができ、アンテナ２を本体部１１の厚み方向にシフトさせることが可能となる。【００３０】
この状態でスロット１４にＰＣカードを挿入する。本発明のアダプタ装置１にＰＣカード３を挿入した図が図６である。ＰＣカード３は本体部３１と露出部３２とからなる。本体部３１は規格で厚みが定められているので、アダプタ装置１に挿入した状態ではアダプタ装置１の上面、下面と同レベルとなる。一方、露出部３２は規格において拡張部として定められた部位であり寸法は比較的自由に定めることができる。無線データ通信カードではこの部位にアンテナを内蔵することが多く、その場合は厚みを厚くして上面方向に突出させた形状にすることが多い。このようなＰＣカード３であっても、アンテナ２の取り付け位置を適当な位置に配置すれば図６のように露出部３２とは干渉しないようにすることができる。アンテナ２を図２のＰ２の位置に移動することによりＰＣカード３の挿入、取り外しにおいても特にアンテナ２がじゃまになることはなく、操作性も損なうことがない。【００３１】
使用する場合には、アンテナ２を受信状態の良い適当な位置に配置する。アンテナ２は回動軸によって比較的自由な姿勢をとることができるので、たとえば図６のＰ３のような位置に配置することができる。ＰＣカードはコンピュータのスロットに挿入されて使用されるため、比較的電波の受信には都合の悪い姿勢とされることが多いが、アンテナを自由な姿勢に置くことができるので受信性能を向上させることもできる。
また、アンテナ２の各回動軸にクリック機構を持たせ、例えばＰ１、Ｐ２の位置で略固定されるようにすれば、ＰＣカード３を挿入した状態でもアンテナ２がＰ２の位置に固定されるので携帯性を損なうこともない。【００３２】
アダプタ装置１はアンテナ２を使用する回路を内蔵する。図７は一例として無線ＬＡＮデータ通信装置を内蔵した場合のブロック図である。【００３３】
無線ＬＡＮデータ通信装置が内蔵されたアダプタ装置１の構成は以下の通りである。まず、無線ＬＡＮ無線部３２と無線ＬＡＮベースバンド部３３とにより両者で無線ＬＡＮデータ通信装置を構成する。無線ＬＡＮベースバンド部３３にはＰＣカードインタフェース部３４が接続され、さらにコネクタ１６が接続されている。無線ＬＡＮベースバンド部３３はＣＰＵ３５とＲＯＭ／ＲＡＭ３６を内蔵し、無線ＬＡＮ無線部３２から受信した電波を復調して受信データを再生するとともに、送信データを変調して無線ＬＡＮ無線部３２から電波を送信させる。また送受信したデータはＰＣカードインタフェース部３４及びコネクタ１６を介して、コネクタ１６に接続るコンピュータ（図示せず）との間で送受信される。さらに、ＰＣカードインタフェース部３４にはコネクタ１５が接続されており、ここに接続されたコンパクトフラッシュ形状のＰＣカード３と交換されるデータをコネクタ１６に接続るコンピュータ（図示せず）に送受信する中継装置としての機能も合わせ持っている。【００３４】
コネクタ１５に挿入するＰＣカード３の一例として、図８にＰＨＳデータ通信カードの例を示した。ＰＨＳデータ通信装置を内蔵したＰＣカード３の構成は以下の通りである。まず、ＰＨＳ無線部４２とＰＨＳベースバンド部４３とによりＰＨＳ電話機を構成する。ＰＨＳベースバンド部４３にはＰＣカードインタフェース部４４が接続され、さらにコネクタ４５が接続されている。ＰＨＳベースバンド部４３はＣＰＵ４６とＲＯＭ／ＲＡＭ４７を内蔵し、ＰＨＳ無線部４２から受信した電波を復調して受信データを再生するとともに、送信データを変調してＰＨＳ無線部４２から電波を送信させる。また送受信したデータはＰＣカードインタフェース部４４及びコネクタ４５を介して、コネクタ４５に接続された外部機器との間で送受信されるようになっている。これらの構成要素はコンパクトフラッシュ形状の筐体に実装されている。【００３５】
以上のように構成したＰＨＳデータ通信装置内蔵のＰＣカード３を無線ＬＡＮデータ通信装置内蔵アダプタ装置１に挿入してコンピュータカードシステムとして構成すれば、携帯性また操作性も損なうことのないコンピュータカードシステムとすることができる。【００３６】
アダプタ装置１に内蔵する無線機能としては無線ＬＡＮデータ通信装置に限るものではない。アンテナ２と機能的に結合された装置を内蔵して構成することが可能である。またＰＣカード３に内蔵する無線機能もＰＨＳデータ通信装置に限るものではなく他の装置を内蔵して構成することも可能である。【００３７】
次に本発明のアダプタ装置１のより詳細な実施例を図１０に示す。【００３８】
図１０は図５に示したアダプタ装置をより詳細に示す斜視図、図１１は図１０に示したアダプタ装置の平面図、図１２は図１０のアダプタ装置の側面図である。アンテナ２、腕部１２、１３、端部１２ｂ、１３ｂ、格納溝１３ｃ、アンテナ端部２６は図５と同様の構成であり、ここでの説明は省略する。
図１３はアンテナ支持部１０１の図１１に示すＡ−Ａ断面図、図１４はアンテナ支持部１０１の図１２に示すＢ−Ｂ断面図、図１５はアンテナ支持部１０１の分解斜視図である。【００３９】
アンテナカバー１０２内には金属製のエレメント１０３が内蔵されアンテナとして機能する。アンテナカバー１０２とエレメント１０３はヒンジ１０４に接続される。このときエレメント１０３は金属製のヒンジ１０４と電気的に導通するように接続される。ヒンジ１０４はヒンジ１０５に係合し、キャップ１０６、キャップ１０７と共にピン１０８、ピン１０９で回動自由に係止される。ヒンジ１０４内にはバネ１１０、金属ボール１１１が内蔵され、共に金属製のヒンジ１０４とヒンジ１０５の電気的導通を行う。ヒンジ１０５の係止部１０５ａはヒンジ１１２の係合部１１２ａに圧入し回動可能に係止される。ヒンジ１１２にはヒンジ１０４と同様にバネ１１３、金属ボール１１４が内蔵され金属製のヒンジ１０５とヒンジ１１２の電気的導通を行う。ヒンジ１１２はピン１１５により導伝端子１１６、ウェーブワッシャ１１７と共に端部１２ｂに回動可能に係止される。このときヒンジ１１２にウェーブワッシャ１１７と導伝端子１１６を接触させて、ピン１１５をヒンジ１１２に圧入し、ウェーブワッシャ１１７によりヒンジ１１２と導通端子１１６との電気的導通を行う。導通端子１１６は他端部１１６ａを筐体１０内の回路基板に直接はんだ付けされる。もしくは導通端子１１６の他端部１１６ａを図１６に示すようにバネ状に形成して筐体１０内の回路基板１１８に接触させて電気的導通を行う。【００４０】
図１７は本発明の他の実施例を示す斜視図である。【００４１】
アンテナ２０２はコの字形状に形成され、係合部２０３、２０４により、アダプタ装置２１０の端部２１２ａ、２１３ａと回動可能に係止される。【００４２】
図１８は他の実施例の側面図である。
アンテナ２０２は腕部２１２、２１３と回動可能に結合されているので、図１８に示すようにＰ４、Ｐ５のように自由な位置を取り得る。この時アンテナ２０２を回動させる場合、Ｐ４、Ｐ５の位置でクリック機構を持たせ、略固定させる。アンテナ２０２をＤ方向に回動させると、アンテナ２０２を図１８の格納位置Ｐ４から位置Ｐ５まで移動させることができ、アンテナ２０２を本体部２１１の厚み方向にシフトさせることが可能となる。この状態でスロット２１４にＰＣカードを挿入する。【００４３】
図１９は他の実施例の分解斜視図である。【００４４】
アンテナ２０２は、アンテナエレメント２５１をアンテナカバー２５２、２５３で挟持して成る。アンテナエレメント２５１の端部２５１ａはカシメピン２５４により、腕部２１２内のアンテナ心線２５５に電気的に接続される。アンテナ心線２５５は筐体２１０の本体部２１１内の図示しない回路基板に接続される。【００４５】
上記実施の形態において示した各部の形状及び構造は、何れも本発明を実施するにあたっての具体化のほんの一例を示したものに過ぎず、これらによって本発明の技術的範囲が限定的に解釈されてはならない。すなわち、本発明はその精神、又はその主要な特徴から逸脱することなく、様々な形で実施することができる。
【産業上の利用可能性】
【００４６】
本発明によれば、ＰＣカード挿入時にアンテナをコンピュータカードの厚み方向に変位させて配置させることができるので、携帯時のアダプタ装置の厚みを大きくすることが無く、携帯性を損なうことがない。【００４７】
またアンテナを厚み方向に変位させて配置しておけば、コンピュータカードをスロットに障害なく挿入／取り外しすることができ、操作性を損なうことがないという効果も有する。
【図１】
2006025406.tif 000002
【図２】
2006025406.tif 000003
【図３】
2006025406.tif 000004
【図４】
2006025406.tif 000005
【図５】
2006025406.tif 000006
【図６】
2006025406.tif 000007
【図７】
2006025406.tif 000008
【図８】
2006025406.tif 000009
【図９】
2006025406.tif 000010
【図１０】
2006025406.tif 000011
【図１１】
2006025406.tif 000012
【図１２】
2006025406.tif 000013
【図１３】
2006025406.tif 000014
【図１４】
2006025406.tif 000015
【図１５】
2006025406.tif 000016
【図１６】
2006025406.tif 000017
【図１７】
2006025406.tif 000018
【図１８】
2006025406.tif 000019
【図１９】
2006025406.tif 000020
【国際調査報告】
2006025406.tif 000021
2006025406.tif 000022